(57)【要約】【課題】ある色について色認識能力が低いユーザに対して適切なカラーバランスの画像を提供することができなかった。【解決手段】ＣＰＵ４１は、検査モードにおいて検査用画面を表示させ、ユーザが入力する指示信号に基づいて検査用画面にかかる色の出力を段階的に上昇させていくとともに、、検査用画面を見ながら検査を行なうユーザが所定のカラーバー間の境界が認識できるようになったときの上昇値を取得し、同取得した上昇値に基づいて、画像表示における上記色の出色を強調する処理を行う。その結果、上記ユーザの所定の色に対する色認識能力の低さを補償した適切なカラーバランスとなった画像表示を行なうことができる。【選択図】  図３
2006013905.tif 000002
【特許請求の範囲】
【請求項１】
画像表示の際に視聴者の色認識能力に合わせた所定の色調整を行なうテレビジョンにおいて、
一の色について所定間隔で階調値を異ならせた複数のカラーバーからなる色認識能力検査画面をＲＧＢ毎に表示可能な検査画面表示手段と、
上記検査画面表示手段は色認識能力検査画面を表示しつつ所定のリモコン操作を受けて同検査画面にかかる色の出力を上昇させると、同上昇に伴ってカラーバー間の境界を徐々に明瞭に表示させる状態で、視聴者が所定の色にかかる色認識能力検査画面の所定の低階調範囲に対応するカラーバー間の境界を視認できるまで同所定の色の出力を上昇させた際の上昇値を取得する調整レベル取得手段と、
上記取得した上昇値に基づいて上記所定の色にかかる原色信号の出力を上昇させる色調整手段とを備えることを特徴とするテレビジョン。
【請求項２】
視聴者の色認識能力に合わせた所定の色調整を行なう画像表示装置において、
視聴者の色認識能力の程度を所定の要素色毎に判断するための色認識能力検査画面を表示する検査画面表示手段と、
上記検査画面表示手段に対する所定の操作によって行なわれた色認識能力検査の結果に基づいて、所定の要素色についての色調整値を取得する調整値取得手段と、
上記取得した色調整値に応じて上記所定の要素色を画像表示において強調する処理を行なう色調整手段とを備えることを特徴とする画像表示装置。
【請求項３】
上記検査画面表示手段は、一の要素色について所定間隔で階調値を異ならせた複数のカラーバーからなる画面をＲＧＢ毎に表示することを特徴とする請求項２に記載の画像表示装置。
【請求項４】
上記調整値取得手段は、上記検査画面表示手段が色認識能力検査画面を表示しつつ同検査画面にかかる要素色の出力を上昇させると同上昇に伴ってカラーバー間の境界を徐々に明瞭に表示させる状態において、視聴者が所定の要素色にかかる検査画面の所定のカラーバー間の境界を視認できるまで同要素色の出力を上昇させた際の上昇値を取得し、
上記色調整手段は、同取得した上昇値に基づいて上記要素色にかかる原色信号の出力値を上昇させることを特徴とする請求項３に記載の画像表示装置。  
【請求項５】
上記調整値取得手段は、視聴者が色認識能力検査画面の所定の低階調範囲に対応するカラーバー間の境界が視認できるまで上記要素色の出力を上昇させた際の上昇値を取得することを特徴とする請求項４に記載の画像表示装置。
【請求項６】
上記調整値取得手段は、上記取得した色調整値を各視聴者毎の個人データとして保存し、色調整手段は、視聴者を特定する所定の指示信号を入力した場合に同指示信号によって特定された視聴者の個人データに基づいて色調整を実行することを特徴とする請求項２〜請求項５のいずれかに記載の画像表示装置。
【請求項７】
全ての要素色についての色認識能力が略一律に所定の基準よりも劣る場合には、映像信号の輝度を所定の値にまで上昇させることを特徴とする請求項２〜請求項６のいずれかに記載の画像表示装置。
【発明の詳細な説明】
【技術分野】
【０００１】
本発明は、視聴者の色認識能力に合わせた色調整を実行するテレビジョンおよび画像表示装置に関する。
【背景技術】
【０００２】
従来技術として、色試験プログラムによって確認されたユーザが識別可能な色の情報に基づいて表示色情報を作成し、保守プログラムを実行して画面表示を行なう際に使用する色を、前記表示色情報の表示色に変更して表示を行なうカラー画面表示装置が知られている（例えば、特許文献１参照。）。
【０００３】
他の従来技術として、テキストオブジェクトとバックグラウンドの現在の色の組合せが問題のある組合せであるとき、好適なテキストオブジェクトとバックグラウンドの色の組み合わせを適用する装置が知られている（例えば、特許文献２参照。）。
【特許文献１】特開２０００‐３３０５４１号公報
【特許文献２】特開２００１‐５１７６１号公報
【発明の開示】
【発明が解決しようとする課題】
【０００４】
上記従来技術では、保守メンテナンスの実行に際して表示される特定の画面や、テキストとバックグラウンドに分かれるＷｅｂ画面において、ある色を他の色に置き換える処理を行う。かかる処理は、特定の色に対しての色覚の低い色弱者にとって、画面に表示される文字などの内容を読取り易くする。しかし、本来の色とは全く異なる色に置き換えられたり、色の組合せを変更したために元々認識できる色の部分も他の色に置き換えられる場合もあるため、特定の色に対しては色覚が低いが他の色については異常なく見える者や、特定の色の色覚が通常より少しだけ劣る者にとっては、おかしな配色となってしまう。特に、テレビ放送の画面において表示されるべき風景や人物の配色そのものが変わってしまっては、上記のような者にとっても視聴の快適性が大きく損なわれてしまうし、元々の画像の雰囲気をイメージすることも困難である。
【０００５】
本発明は、上記課題にかんがみてなされたもので、視聴者の色認識能力に応じて画像におけるカラーバランス等を最適なのもとすることのできるテレビジョンおよび画像表示装置を提供することを目的とする。
【課題を解決するための手段】
【０００６】
上記目的を達成するため請求項１の発明は、画像表示の際に視聴者の色認識能力に合わせた所定の色調整を行なうテレビジョンにおいて、一の色について所定間隔で階調値を異ならせた複数のカラーバーからなる色認識能力検査画面をＲＧＢ毎に表示可能な検査画面表示手段と、上記検査画面表示手段は色認識能力検査画面を表示しつつ所定のリモコン操作を受けて同検査画面にかかる色の出力を上昇させると、同上昇に伴ってカラーバー間の境界を徐々に明瞭に表示させる状態で、視聴者が所定の色にかかる色認識能力検査画面の所定の低階調範囲に対応するカラーバー間の境界を視認できるまで同所定の色の出力を上昇させた際の上昇値を取得する調整レベル取得手段と、上記取得した上昇値に基づいて上記所定の色にかかる原色信号の出力を上昇させる色調整手段とを備える構成としてある。
【０００７】
上記のように構成した請求項１の発明においては、テレビジョンは、画像表示の際に視聴者の色認識能力に合わせた所定の色調整を行なう。
ここで、検査画面表示手段が、一の色について所定間隔で階調値を異ならせた複数のカラーバーからなる色認識能力検査画面をＲＧＢ毎に表示する。視聴者は、同検査画面を見て自己の色認識能力を検査することになる。検査画面表示手段は、検査画面を表示しつつ所定のリモコン操作を受けて同検査画面にかかる色の出力を上昇させると、同上昇に伴ってカラーバー間の境界を徐々に明瞭に表示させる状態となっている。そこで、調整レベル取得手段は、視聴者が所定の色にかかる色認識能力検査画面の所定の低階調範囲に対応するカラーバー間の境界を視認できるまで同所定の色の出力を上昇させた際の上昇値を取得する。
【０００８】
上記取得した上昇値が大きいほど、上記画面によって検査を行なった視聴者の上記所定の色に対する色覚が低いことになる。色調整手段は、上記取得した上昇値に基づいて上記所定の色にかかる原色信号の出力値を上昇させる処理を行う。その結果、テレビジョンの画像におけるＲＧＢのある色については、視聴者のその色に対する色認識能力の程度に応じて強調される。よって、特定の色に対しては色認識能力が低かったり、まぎらわしい色の区別がつきにくい色弱者等に対しても、その人の色認識能力に合ったカラーバランスで画像を表示することができる。
【０００９】
請求項２の発明は、視聴者の色認識能力に合わせた所定の色調整を行なう画像表示装置において、視聴者の色認識能力の程度を所定の要素色毎に判断するための色認識能力検査画面を表示する検査画面表示手段と、上記検査画面表示手段に対する所定の操作によって行なわれた色認識能力検査の結果に基づいて、所定の要素色についての色調整値を取得する調整値取得手段と、上記取得した色調整値に応じて上記所定の要素色を画像表示において強調する処理を行なう色調整手段とを備える構成としてある。
【００１０】
上記のように構成した請求項２の発明においては、画像表示装置は、視聴者の色認識能力に合わせた所定の色調整を行なう。
ここで、検査画面表示手段は、視聴者の色認識能力の程度を所定の要素色毎に判断するための色認識能力検査画面を表示する。調整値取得手段は、上記検査画面表示手段に対する所定の操作によって行なわれた色認識能力検査の結果に基づいて、所定の要素色についての色調整値を取得する。そして、色調整手段が、上記取得した色調整値に応じて上記所定の要素色を画像表示において強調する処理を行う。
【００１１】
つまり、画像における要素色のある色については、視聴者のその色に対する色認識能力の程度に応じて強調されるため、請求項１の発明と同様に、色弱者等を含めその人の色認識能力に合ったカラーバランスで画像を表示することができる。
【００１２】
請求項３の発明は、請求項２に記載の画像表示装置において、上記検査画面表示手段は、一の要素色について所定間隔で階調値を異ならせた複数のカラーバーからなる画面をＲＧＢ毎に表示する構成としてある。表示する検査用画面の一例として上記態様とすれば、検査を行なう視聴者は、ある色に対する色認識能力を把握するのに好適である。
【００１３】
請求項４の発明は、請求項３に記載の画像表示装置において、上記調整値取得手段は、上記検査画面表示手段が色認識能力検査画面を表示しつつ同検査画面にかかる要素色の出力を上昇させると同上昇に伴ってカラーバー間の境界を徐々に明瞭に表示させる状態において、視聴者が所定の要素色にかかる検査画面の所定のカラーバー間の境界を視認できるまで同要素色の出力を上昇させた際の上昇値を取得し、上記色調整手段は、同取得した上昇値に基づいて上記要素色にかかる原色信号の出力値を上昇させる構成としてある。
【００１４】
上記のように構成した請求項４の発明においては、上記検査画面表示手段は、色認識能力検査画面を表示しつつ同検査画面にかかる要素色の出力を上昇させると同上昇に伴ってカラーバー間の境界を徐々に明瞭に表示させる状態となっている。視聴者は、ある要素色に対して色認識能力が低い場合、同色にかかるカラーバー群の境界を視認することが難しい。そこで、上記調整値取得手段は、視聴者が所定の要素色にかかる検査画面の所定のカラーバー間の境界を視認できるまで同要素色の出力を上昇させた際の上昇値を取得する。色調整手段は、同取得した上昇値に基づいて上記要素色にかかる原色信号の出力値を上昇させる。その結果、画像における同要素色は、視聴者が視認できる程度にまで強調されるので、視聴者の色認識能力に適したカラーバランスの画像を表示することができる。
【００１５】
各カラーバー間の境界のなかでも、元々階調値の低いカラーバー間の境界は、特に視認しづらい。そこで、上記調整値取得手段は、視聴者が色認識能力検査画面の所定の低階調範囲に対応するカラーバー間の境界が視認できるまで上記要素色の出力を上昇させた際の上昇値を取得するとしてもよい。このようにすれば、視聴者が所定の要素色について快適に視認できるようになるために必要な上昇値を確実に取得できる。
【００１６】
請求項６の発明は、請求項２〜請求項５のいずれかに記載の画像表示装置におてい、上記調整値取得手段は、上記取得した色調整値を各視聴者毎の個人データとして保存し、色調整手段は、視聴者を特定する所定の指示信号を入力した場合に同指示信号によって特定された視聴者の個人データに基づいて色調整を実行する構成としてある。
画像表示装置を利用する視聴者は様々であるため、色調整値を各視聴者毎に個人データとして保存しておくとよい。画像表示を行なう際には、そのとき視聴する者の個人データに基づく色調整を行なう。その結果、色認識能力が異なる他人の設定で色調整された画像を見て視聴の快適性が損なわれることが防げる。また、各視聴者は自己の検査を毎回行なう必要もなくなる。
【００１７】
請求項７の発明は、請求項２〜請求項６のいずれかに記載の画像表示装置において、全ての要素色についての色認識能力が略一律に所定の基準よりも劣る場合には、映像信号の輝度を所定の値にまで上昇させる構成としてある。
これまでのように各要素色を個別に強調する処理を行っても良いが、色認識能力検査の結果、全ての要素色についての色認識能力が同じように低い場合には、映像信号の輝度を所定の値にまで上昇させてもよい。その結果、画面全体が明るくなるため、上記のような者にとって画像が見やすくなる。
【発明の効果】
【００１８】
以上説明したように、本発明によれば、視聴者毎の色認識能力に合わせて視認しづらい色については画像表示において強調する処理を行うため、色弱者などであっても、自己の色認識能力の低さが補償された最適なカラーバランスの画像を視聴することができる。
【発明を実施するための最良の形態】
【００１９】
図１は、本願発明の一実施形態にかかるテレビジョンの概略構成を示している。
同図に示すように、テレビジョン１００は、概略、チューナ１０と、色再生回路２０と、ＣＲＴ３０と、マイコン４０とからなる。同構成においてマイコン４０は、テレビジョン１００を構成する各部とＩＩＣバス７０を介して接続しており、ＣＰＵ４１が、ＲＯＭ４２に書き込まれたプログラムやデータに従ってＲＡＭ４３をワークエリアとしてテレビジョン１００全体を制御する。また、マイコン４０には、操作パネル４４と、リモコンＩ／Ｆ４５とが接続しており、同操作パネル４４を介しての入力信号や、リモコンＩ／Ｆ４５を介してなされるリモコンによる入力信号によって、テレビジョン１００における種々の処理を制御できる。
【００２０】
チューナ１０は、マイコン４０の制御により、アンテナ１０ａを介してテレビジョン放送信号を受信する。そして、同チューナ１０は、所定の信号増幅処理等を行いつつ、テレビジョン放送信号から中間周波信号としての合成映像信号を抽出し、色再生回路２０へ出力する。色再生回路２０のＹ／Ｃ分離回路２２では、合成映像信号に基づいて、輝度信号とクロマ信号への分離を行なう。分離された輝度信号は、画質調整回路２３に入力し、信号増幅処理など所定の調整が行なわれた後、マトリクス回路２５に出力される。一方、分離されたクロマ信号は、色復調回路２４において、Ｒ‐Ｙ及びＢ‐Ｙの色差信号（ＵＶ信号）に復調された後、マトリクス回路２５に出力される。
【００２１】
マトリクス回路２５では、入力した輝度信号と色差信号とに基づいてマトリクス変換処理を行ない、Ｒ（レッド），Ｇ（グリーン），Ｂ（ブルー）の各原色信号を生成する。このように生成されたＲ，Ｇ，Ｂ信号は、トランジスタや可変抵抗器などによって構成されたＲ増幅回路５１、Ｇ増幅回路５２、Ｂ増幅回路５３において夫々所定の増幅処理を受けた後、ＣＲＴ３０の各カソード電極Ｒ３１，カソード電極Ｇ３２，カソード電極Ｂ３３に印加され、放出される電子ビームの量を制御することによって画像表示を実現する。
【００２２】
なお、図示は省略してあるが、テレビジョン１００においては、テレビジョン放送信号から抽出した水平・垂直ドライブ信号に基づいて、所定の偏向回路が上記電子ビームを水平・垂直方向にドライブさせる。また、上記では、必要に応じて電気信号のＡ／Ｄ、Ｄ／Ａ変換を適宜行なっているものとする。
【００２３】
上記構成において、本実施形態では、テレビジョン１００にて放送番組などを視聴しようとするユーザの色認識能力（色覚）を検査する検査モードを備えている。同検査モードにおいては、ＲＧＢ各色についてのユーザの色認識能力の程度を検査し、同検査によって得られたユーザの色認識能力に基づいて、画像表示におけるカラーバランスを調整する。
【００２４】
図２は、検査モードにおいて表示する検査用画面の一例を示している。
検査用画面（Ｒ検査用画面）は、複数のカラーバーが並んで構成されている。各カラーバーは、所定の階調範囲（例えば、０〜２５５階調）内で所定間隔で変化する階調値に対応した濃度となっており、同図では右端から左端に向かって徐々にその濃度が上がっている。同図では、各カラーバーは何れもＲの単色バー（右端は白）であるとする。本実施形態では、ＲＯＭ４２に各Ｒ，Ｇ，Ｂ検査用画面を表示するための画像データが夫々保存されており、ＣＰＵ４１は、検査モードが選択されたことを検知した場合には、上記検査用画面をＲＧＢ毎に順次ＯＳＤ（オンスクリーンディスプレイ）機能等を用いてＣＲＴ３０に表示する。
【００２５】
本実施形態では、上記検査用画面は、標準的な輝度調整がなされた条件下で色弱などの色覚異常が無いユーザが見た場合には、各カラーバーの区別がつき、各カラーバー間の境界を認識できる程度に濃度に差を持たせた設定（初期設定）となっている。また、同検査用画面にかかる色の出力を段階的に上げていき各カラーバー全体を明るくすることで、各カラーバー間の境界がより明瞭となっていく。ここで、ユーザが上記検査用画面にかかる色を認識する力が弱い色弱者であった場合には、初期設定の検査用画面を見ても、カラーバー間の境界、特に低階調範囲に対応するカラーバー間の境界が認識しずらい。そこで、本発明ではカラーバー間の境界を認識できるレベルによって、ユーザの所定の色に対する色認識能力の程度を判断する。
【００２６】
図３は、検査モードにおいてＣＰＵ４１が実行するプログラムの処理内容をフローチャートにより示している。
検査を行なおうとするユーザは、操作パネル４４やリモコン操作によって、所定のメニューから検査モードを選択する指示信号を入力する。ステップ１００では、ＣＰＵ４１は、検査モードの指示信号が入力されたか否か判断し、同入力があった場合には、ステップ１１０以降の処理を実行する。
【００２７】
ステップＳ１１０では、上述したように、ＲＧＢのうち何れかの色にかかる検査用画面をＣＲＴ３０上に表示させる。
ステップＳ１２０では、ユーザが入力する指示信号に基づいて、検査用画面にかかる色の出力を段階的に上昇させていく。ユーザは、所定のリモコン操作などによって、同指示信号をテレビジョン１００に対して入力する。
【００２８】
表示した検査用画面が例えばＲ検査用画面である場合、同指示信号を受けたＣＰＵ４１は、カソード電極Ｒ３１からの電子ビーム量を徐々に増加させるため、Ｒ増幅回路５１でＲ信号のレベル全体を段階的に底上げしていく。その結果、Ｒ検査用画面上では、各カラーバーの明るさが略一律にリアルタイムで徐々に上がっていく。なお、ユーザが同検査用画面にかかる色については色覚異常が無いために、上記指示信号を一切入力せず画面に変化を生じさせない場合も当然にある。
【００２９】
ステップＳ１３０では、ＣＰＵ４１は、検査用画面の色の出力の上昇値を取得する。すなわち、上記検査用画面を見ながら検査を行なうユーザは、所定のカラーバー間（例えば、低階調範囲に対応する右端のカラーバーと、右から二番目のカラーバー間）の境界が認識できるようになるまで各カラーバーの明るさを上げたところで、所定の決定キーを押す。そして、ＣＰＵ４１は、上記決定キーにかかる信号を入力した時点での上昇値を取得する。ここでは、Ｒ信号を底上げした分の電圧を上昇値とする。上昇値は、色弱などによって上記検査用画面にかかる色の色認識能力が低いユーザほど高くなる一方、色覚異常が無いユーザは、基本的には０かそれに近い値となる。上昇値には所定の限度を設けておいてもよい。
【００３０】
ステップＳ１４０では、上記取得した上昇値を所定の記憶領域に保存する。このとき、ユーザに個人の識別情報を入力させ、同識別情報に関連づけて個人情報として保存するとよい。
ステップＳ１５０では、ＲＧＢ全ての色について、上昇値を保存したか否か判断し、上昇値を保存していない色がある場合には、ＣＲＴ３０における検査用画面の色を変更して上記の処理を繰り返す。一方、ＲＧＢ全てについて上昇値を保存し終えた場合には、あるユーザに対する検査モードの処理を終了させる。
【００３１】
図４は、ＣＰＵ４１が実行する色調整の処理内容をフローチャートにより示している。  上記のように取得したＲＧＢ毎の上昇値に基づいて、ＣＰＵ４１は、実際の画像表示の際にカラーバランスを調整する。
ステップＳ２００では、操作パネル４４やリモコンＩ／Ｆ４５を介して入力されたユーザの識別情報に基づいて、上記所定の記憶領域から特定のユーザの個人情報（ＲＧＢ毎の上昇値）を取得する。
【００３２】
ステップＳ２１０では、ＣＰＵ４１は、上記取得した上昇値の大きさに応じてＲ増幅回路５１、Ｇ増幅回路５２、Ｂ増幅回路５３を制御し、ＲＧＢ毎の原色信号の電圧値を調整する。例えば、ステップＳ２００において、Ｒについては所定値となった上昇値を得るとともに、Ｇ，Ｂについては上昇値は０であった場合、Ｒ信号のレベル全体を底上げすべく直流電圧（調整電圧）を加える等の処理をＲ増幅回路５１において行う。その結果、カソード電極Ｒ３１の電位が、カソード電極Ｇ３２，カソード電極Ｂ３３の電位より全体的に低くなり（カソード電極への入力電圧は負極性）、カソード電極Ｒ３１からのビーム量が増えるため、画像表示におけるＲの発色がＧ，Ｂよりも強くなる。
【００３３】
なお、上記検査の結果、色認識能力が低い色が複数あった場合には、上記ステップＳ２１０では、同複数の色について個別に発色を強調するための制御処理が行なわれる。ここで、取得した上昇値の大きさとステップＳ２１０で用いる調整電圧の大きさとの関係は、予めテーブルとして定めて所定の記憶領域に保存し、適宜読み出しても良いし、上昇値をそのまま調整電圧として用いても良い。
【００３４】
ステップＳ２１０においては、以下に示すように、ステップＳ２００で取得したＲＧＢ毎の上昇値の比に基づいて、カソード電極Ｒ３１，カソード電極Ｇ３２，カソード電極Ｂ３３からの電子ビーム量のバランスを調整しても良い。ＣＰＵ４１は、適切なホワイトバランスを実現するための基準となるＲＧＢの電子ビーム量の比（基準比Ｒ：Ｇ：Ｂ、例として３４：３４：３２）を有しており、上記色調整を実行しない場合は、白を表示する際には各色電子ビーム量の比が上記基準比となる様にＲＧＢのカソード電圧を調整している。ここで、ＲＧＢ毎の上昇値が夫々Ｄｒ，Ｄｇ，Ｄｂ（Ｄｒ，Ｄｇ，Ｄｂ≧０）として得られた場合、Ｄｒ，Ｄｇ，Ｄｂ間の比に基づいて、上記基準比を修正する。
【００３５】
基準比の修正は、例えば以下のように行なう。上昇値Ｄｒ，Ｄｇ，Ｄｂに対して定数αをかけ、カラーバランス調整値α×Ｄｒ，α×Ｄｇ，α×Ｄｂを求める。そして、α×Ｄｒ，α×Ｄｇ，α×Ｄｂを上記基準比に夫々加算し、修正比Ｒ＋α×Ｄｒ：Ｇ＋α×Ｄｇ：Ｂ＋α×Ｄｂ＝Ｒ１：Ｇ１：Ｂ１を取得する。当該修正比のままでは、Ｒ１，Ｇ１，Ｂ１の合計が１００を超えるため、合計が１００となる様にＲ１，Ｇ１，Ｂ１に夫々１００／（Ｒ１＋Ｇ１＋Ｂ１）を乗算し、最終修正比Ｒ２：Ｇ２：Ｂ２を得る。なお定数αは、最終修正比の各数値と基準比の各数値との差が所定範囲内（例えば、ＲとＲ２の差、ＧとＧ２の差、ＢとＢ２の差を、夫々−１０〜＋１０に収める）となるように設定する。
【００３６】
そして、白を表示する際のＲＧＢの電子ビーム量の比が上記最終修正比となるように、カソード電極Ｒ３１，カソード電極Ｇ３２，カソード電極Ｂ３３の電圧をＲ増幅回路５１、Ｇ増幅回路５２、Ｂ増幅回路５３の制御によって調整する。かかる手法によっても、上昇値が高い色についての発色が画像において強調されることになる。
【００３７】
このように、本発明によれば、ＲＧＢのうちユーザの色認識能力が弱い色については、画像表示において他の色よりも強調される。その結果、特定の色に対する色覚が弱い色弱者などを含めユーザにとっては、色認識能力が弱い色も他の色とほぼ同じように視認することができ、画像のカラーバランスが同ユーザに適したものとなる。よって、上記色弱者であっても、映像信号が本来表現しようとする配色や色合いを認識することができる。
【００３８】
また、上記検査結果は個人データとして保存され、上記色調整もユーザの識別情報に基づいて個人情報が選択されて実行されるため、そのときテレビジョン１００を視聴しようとするユーザ毎に、本人に適したカラーバランスが実現される。同時に、色認識能力が異なる他人の設定で色調整された画像を見て視聴の快適性が損なわれることも防げる。
【００３９】
上記検査の結果、ＲＧＢ全ての色に対して略同一の上昇値が得られた場合には、画面の輝度を所定の値にまで上げるようにしてもよい。手法の一例として、カソード電極Ｒ３１、カソード電極Ｇ３２，カソード電極Ｂ３３からのビーム量が夫々一律に増加するように各カソード電極の電圧を制御する。その結果、画面の輝度が上がるため、ＲＧＢ全ての色に対して同じように色認識能力が低い者にとっては、画像の各色が認識しやすくなる。
【００４０】
他の実施形態について説明する。
上記検査用画面を表示した場合に、各カラーバー間の境界を鮮明にする手法として、ＵＶ信号を調整しても良い。ＣＰＵ４１は、Ｒ検査用画面を表示したときに、色復調回路２４を制御することでＲ‐Ｙ信号であるＶ信号の出力レベルを上げる処理を行なっても良い。この場合、画面の色あいは全体的に赤が強調されていき、カラーバー間の境界が徐々に明瞭となる。よって、ユーザはリモコン操作などによってＶ信号の出力レベルを上げていき、所定のカラーバー間の境界が明瞭になったときの出力レベルの上昇値をＣＰＵ４１に保存させる。そして、以後同ユーザがテレビジョン１００において視聴する際には、ＣＰＵ４１は、同上昇値の分Ｖ信号の出力レベルを上げる処理を行なう。その結果、Ｒの色認識能力が低いユーザに対してはＲの出色が強調されるため、同ユーザにとって適したカラーバランスとなった画像表示を行なうことができる。
【００４１】
同様に、ＣＰＵ４１は、Ｂ検査用画面を表示したときに、Ｂ‐Ｙ信号であるＵ信号の出力レベルを上げる処理を行なっても良い。この場合、画面の色あいは全体的に青が強調されていきカラーバー間の境界が明瞭となっていくため、ユーザはＵ信号の出力レベルを上げていき、所定のカラーバー間の境界が明瞭になったときの出力レベルの上昇値をＣＰＵ４１に保存させる。そして、同ユーザの視聴に際し同上昇値を用いて出力の調整を実行する。その結果、Ｂの出色が強調されるため、Ｂの色認識能力の低いユーザにとって適したカラーバランスとなった画像表示を行なうことができる。
【００４２】
さらに、検査用画面としての表示は上記のものに限られない。例えば、検査用画面を、ＲからＢへと補色のマゼンダを挟んで徐々に変化していくグラテーションのカラーバー群とすることができる。この場合、左右一方の端のカラーバーの色を所定濃度のＢとし、他方の端の色を所定濃度のＲとする。ユーザは同検査用画面を見ながら、リモコン操作などによってＵＶ信号の出力を調整する。つまり、検査画用面全体が赤みが強いと感じた場合はＵ信号の出力レベルを上げていき、端のＢのバーを標準的な青であると認識できたときの出力レベルの上昇値をＣＰＵ４１に保存させる。一方、画面全体が青みが強いと感じた場合はＶ信号の出力レベルを上げていき、端のＲのバーを標準的な赤であると認識できたときの出力レベルの上昇値をＣＰＵ４１に保存させる。以後、同ユーザがテレビジョン１００において視聴する際には、同保存した上昇値によってＵＶ信号の出力レベルを調整する処理を行なう。その結果、ＲまたはＢの色認識能力が低いユーザに対して、同色認識能力の低さを補償した色あいとなった画像表示を行なうことができる。
【００４３】
上記の説明では、ディスプレイとしてＣＲＴ３０を用いているが、代わりに液晶パネルを用いることも可能である。液晶パネルを用いた場合のＲＧＢ毎の強調処理は、バックライトの出力の調整によって実現する。ＲＧＢに夫々対応した複数の画素がマトリクス状に配置された液晶パネルの背面には、バックライト部として、同液晶パネルの画素毎に対応した発光素子体がマトリクス状に配設されている。よって、ユーザの色認識能力を補うために所定の色を強調する場合には、同色の画素に対応して配設された発光素子体の発光輝度を、上記検査の結果得られた上昇値に応じて所定の割合で上げればよい。その結果、同色は他の色よりも明るく表示され、同色に対して色認識能力が低いユーザに対して適切なカラーバランスとなった画像を表示できる。
なお、上記検査においても、ある色にかかる検査用画面を表示した際に、同色に対応する発光素子の発光輝度を上げることでカラーバー間の境界を徐々に明瞭にしていくとしても良い。この場合、同境界が明瞭となった際の発光輝度をもって、以後の画像表示において同色に対応する画素を照射する。
【図面の簡単な説明】
【００４４】
【図１】本発明の一実施形態にかかるテレビジョンの概略構成図である。
【図２】検査用画面を示した説明図である。
【図３】検査モードにおいて実行する処理内容を示したフローチャートである。
【図４】色調整の処理内容を示したフローチャートである。
【符号の説明】
【００４５】
１０…チューナ
２０…色再生回路
３０…ＣＲＴ
４０…マイコン
５１…Ｒ増幅回路
５２…Ｇ増幅回路
５３…Ｂ増幅回路
１００…テレビジョン
【図１】
2006013905.tif 000003
【図２】
2006013905.tif 000004
【図３】
2006013905.tif 000005
【図４】
2006013905.tif 000006